(57)【要約】【課題】陳列棚に並べられている商品の賞味期限をその文字情報を読み取ることにより賞味期限切れであるか否かを判定し、賞味期限切れの場合には警告を発するようにすることである。【解決手段】商品に付された賞味期限を表示する文字を読み取る２次元ＣＣＤによる読取部６と、商品の賞味期限情報が記録されている外部サーバー１４との間で情報の受発信をする情報受発信装置９と、前記読取部６で読み取った賞味期限情報と前記外部サーバー１４に記録された当該商品の賞味期限情報とを比較して賞味期限切れであるか否かを判定する日時認識装置１０と、当該商品が賞味期限切れである場合にその旨を警告する警告装置１１と、読み取った賞味期限と前記警告装置の警告内容を表示する表示部１２とよりなる賞味期限チェック装置である。【選択図】図４
2007317043.tif 000002
【特許請求の範囲】
【請求項１】
商品に付された賞味期限を表示する文字を読み取る２次元ＣＣＤによる読取部と、商品の賞味期限情報が記録されている外部サーバーとの間で情報の受発信をする情報受発信装置と、前記読取部で読み取った賞味期限情報と前記外部サーバーに記録された当該商品の賞味期限情報とを比較して賞味期限切れであるか否かを判定する日時認識装置と、当該商品が賞味期限切れである場合にその旨を警告する警告装置と、読み取った賞味期限と前記警告装置の警告内容を表示する表示部とよりなることを特徴とする賞味期限チェック装置。
【請求項２】
前記表示部の賞味期限を表示する文字は拡大表示されることを特徴とする請求項１記載の賞味期限チェック装置。
【請求項３】
前記読取部は、商品に付された商品価格のデータコードを読み取る価格読取機能を備えていることを特徴とする請求項１又は２記載の賞味期限チェック装置。
【発明の詳細な説明】
【技術分野】
【０００１】
本発明は、例えば、多種類の商品が陳列棚に陳列されており、それぞれの商品には賞味期限が文字により表示されているスーパーマーケット等において、賞味期限の確認のために利用される賞味期限チェック装置に関するものである。
【背景技術】
【０００２】
従来、生鮮品販売において、ラベル又は商品自体に賞味期限が文字により印刷されており、これらの商品の賞味期限の確認は、印刷された文字を目視により確認している。この賞味期限の確認作業において、陳列棚に並べられた商品を一々手に取る等の作業を伴うものであり、しかも、賞味期限切れの商品があった場合には、連列順序を入れ替える等の作業も必要になる。
【０００３】
また、特許文献１には、商品の賞味期限が短くなったときに、商品価格の値引きや特典の実施などのために商品の賞味期限を読み取って必要な処理を行うことができるようにした商品管理システムが記載されている。具体的には、商品に取り付けられ、その商品に関する情報を記憶する無線タグと、この無線タグに記憶される情報を無線で読み取り、その商品の商品価値情報、およびその商品の日時に関する日時情報を得る管理装置とから構成されているものである。
【０００４】
【特許文献１】特開２００２−８３３６９号公報
【発明の開示】
【発明が解決しようとする課題】
【０００５】
スーパーマーケット等における店員により賞味期限の文字を読み取り確認する方法においては、作業手順が複雑であり、読み難い文字を目視により読み取らなければならないことから、読み間違いや読み取り漏れ等の問題が発生しやすい。また、賞味期限確認の作業も短時間で行うことが要望されており、かなりの熟練を必要とする。また、特許文献１に記載されたものにおいては、商品に関する情報を記憶する無線タグを備え、管理装置により日時情報を得ているものであるが、その目的は、商品の賞味期限が短くなったときに、商品価格の値引きや特典の実施などのために商品の賞味期限を読み取って必要な処理を行うことができるようにした商品管理システムであり、賞味期限切れの商品があった場合の処理を目的としているものではない。
【０００６】
本発明は、陳列棚に並べられている商品の賞味期限をその文字情報を読み取ることにより賞味期限切れであるか否かを判定し、賞味期限切れの場合には警告を発するようにした賞味期限チェック装置を提供することを目的とする。
【課題を解決するための手段】
【０００７】
本発明は、商品に付された賞味期限を表示する文字を読み取る２次元ＣＣＤによる読取部と、商品の賞味期限情報が記録されている外部サーバーとの間で情報の受発信をする情報受発信装置と、前記読取部で読み取った賞味期限情報と前記外部サーバーに記録された当該商品の賞味期限情報とを比較して賞味期限切れであるか否かを判定する日時認識装置と、当該商品が賞味期限切れである場合にその旨を警告する警告装置と、読み取った賞味期限と前記警告装置の警告内容を表示する表示部とよりなる賞味期限チェック装置である。
【発明の効果】
【０００８】
本発明によれば、陳列棚に並べられている商品の賞味期限を読取部によりその文字情報を読み取り、日時認識装置により賞味期限切れであるか否かを判定し、賞味期限切れの場合には警告装置により警告を発するようにしたので、勘違いや間違いがなく商品管理が容易になり、顧客に対して賞味期限切れ商品を提供することがなくなり店舗の信用を確保することができるものである。
【発明を実施するための最良の形態】
【０００９】
本発明の実施の態様を図面に基づいて説明する。まず、本実施の態様においては、その全体構成がハンディターミナル１として構成されている。すなわち、このハンディターミナル１は、図１に示すように、筐体２を有しており、この筐体２は、オペレータが手で把持する把持部３と商品に印字された賞味期限を表示する文字又は媒体に印字されたバーコードに近付ける読取窓（図示しない）を有する先端部４とで構成されている。前述の商品に印字された賞味期限を表示する文字又は媒体に印字されたバーコードは、商品に直接印字されている場合もあるが、多くの場合は、図２に示すように、商品ラベル１５にバーコード１６および「０６．０５．２２」のように数字で示された賞味期限１７を印刷したものが使用される。また、筐体２の内部には、文字又はバーコード読取のための光を発する照明用ＬＥＤ５、その反射光を受光する読取部としてのＣＣＤイメージセンサ６、およびＣＣＤイメージセンサ６の出力信号に関してデコード処理を実行するデコーダ７が備前記ＣＣＤイメージセンサ６（読取部）えられている。さらに、前記筐体２の内部には、ＣＰＵよりなる処理装置８が設けられており、この処理装置８には、後述する外部サーバーとの間で情報の受発信をする情報受発信装置９と、前記ＣＣＤイメージセンサ６（読取部）で読み取った賞味期限情報と前記外部サーバーに記録された当該商品の賞味期限情報とを比較して賞味期限切れであるか否かを判定する日時認識装置１０と、当該商品が賞味期限切れである場合にその旨を警告する警告装置１１とがそれぞれ接続されている。前述の外部サーバーに記録された当該商品の賞味期限情報は、後述する外部サーバー内に、図３に示す商品情報テーブル１８に「商品コード」、「品名」、「単価」、「賞味期限」の各項目欄に記録されているものである。さらにまた、前記ハンディターミナル１の上面には、読み取った賞味期限と前記警告装置１１の警告内容を表示する表示部１２が比較的面積の大きいＬＣＤにより形成されている。また、前記先端部４の一部には、オペレータが把持部３を把持してハンディターミナル１を使用したときにも視認可能な場所に位置させて、発光部１３が設けられている。
【００１０】
このような各部分の接続状態は図４に示されている。すなわち、処理装置８に対しては、前記ＣＣＤイメージセンサ６（読取部）が接続されているとともに、情報受発信装置９と日時認識装置１０と警告装置１１と表示部１２とがそれぞれ接続されている。また、前記情報受発信装置９には、外部サーバー１４が無線により送受信可能に接続されている。
【００１１】
このような構成において、図５に基づいてその処理動作を説明する。まず、ＣＣＤイメージセンサ６は、商品に付されたデータコード（商品価格を含む）とその商品に印刷された賞味期限等を示した文字１５を商品ラベル１５等から読み取る（ステップＳ１）。つぎに、商品ラベル１５から読み取った日付データと日時認識装置１０の日付データとを比較する（ステップＳ２）。その結果、賞味期限内であるか否かのチェックがなされる（ステップＳ３）。ここで、賞味期限内ではないと判定された場合には、賞味期限が切れている旨の賞味期限外メッセージを発生し、ブザー等により構成された警告装置１１を動作させて店員に明確にその旨を伝え、かつ、表示部１２にも比較的大きな文字で「賞味期限切れにて販売停止」等のその旨の表示をする（ステップ７）。ステップＳ３で賞味期限内であると判定されたときには、商品価格を含む当該商品のデータコードが情報受発信装置９を介して外部サーバー１４に伝送され（ステップＳ４）、外部サーバー１４に記憶されているデータと照合される（ステップＳ５）。ついで、外部サーバー１４側から商品価格を情報受発信装置９を介して処理装置８に送られ（ステップＳ６）、商品価格と賞味期限情報とが表示部１２に表示される（ステップＳ８）。
【００１２】
このようにして陳列棚に陳列されていた一個の商品に対する一連の作業が終了するが、ハンディターミナル１によるデータコード及び商品に付された賞味期限等を示した文字を読み取る動作だけであるため、従来、賞味期限を表示する文字を目視により読み取っていた作業に比べて勘違いや間違いに基づき、賞味期限切れの商品を陳列棚に残したままの状態を確実になくすことができ、これにより、商品購入者に迷惑を掛け、また、店舗の信頼をなくすということがなくなる。とくに、多大な労力と細かい商品管理が必要であった作業を容易に行うことができる生鮮品賞味期限情報が簡単且つ確実に表示若しくは報知することができる効果は大きなものである。
【図面の簡単な説明】
【００１３】
【図１】本発明の実施の態様を示すハンディターミナルの斜視図である。
【図２】商品ラベルの平面図である。
【図３】商品情報テーブルを示すラムマップである。
【図４】ハンディターミナルの内部構造を示すブロック図である。
【図５】賞味期限読み取りの処理動作を示すフローチャートである。
【符号の説明】
【００１４】
６    読取部、９    情報受発信装置、１０    日時認識装置、１１    警告装置、１２    表示部、１４    外部サーバー
【図１】
2007317043.tif 000003
【図２】
2007317043.tif 000004
【図３】
2007317043.tif 000005
【図４】
2007317043.tif 000006
【図５】
2007317043.tif 000007